(57)【要約】      （修正有）【課題】ホーム用品の快適性、耐久性および美観を向上させ、ホーム用品の分野に広く使用することができるホーム用品用シート材を提供する。【解決手段】ホーム用品用シート材は、交織メッシュ状構造に設定され、表面のメッシュ１が２種類の幾何学的図形を少なくとも含み、幾何学的図形の位置が応力受け位置に応じて設定され、応力が大きい部位に、密度が大きく荷重が大きい幾何学的図形が設定され、応力が小さい部位に、密度が小さく荷重が小さい幾何学的図形が設定される。【選択図】図１
0003232237.tif 000002
【実用新案登録請求の範囲】
【請求項１】
交織メッシュ状構造に設定され、表面のメッシュが２種類の幾何学的図形を少なくとも含み、
前記幾何学的図形の位置は、応力受け位置に応じて設定され、応力が大きい部位に荷重が大きい前記幾何学的図形が設定され、応力が小さい部位に荷重が小さい前記幾何学的図形が設定される、ことを特徴とするホーム用品用シート材。
【請求項２】
前記幾何学的図形の位置は、応力受け位置に応じて設定され、応力が大きい部位の前記幾何学的図形の密度は、応力が小さい位置の前記幾何学的図形の密度より大きい、ことを特徴とする請求項１に記載のホーム用品用シート材。
【請求項３】
ホーム用品用シート材の厚さが２〜１５センチメートルに設定される、ことを特徴とする請求項１に記載のホーム用品用シート材。
【請求項４】
ホーム用品用シート材の材料がゲルに設定される、ことを特徴とする請求項１に記載のホーム用品用シート材。
【請求項５】
ゲルがＴＰＲ又はＴＰＥ又は人工合成ゴム又は人工合成プラスチックに設定される、ことを特徴とする請求項４に記載のホーム用品用シート材。
【請求項６】
上下２層のホーム用品用シート材を含み、
上層のホーム用品用シート材は、交織メッシュ状構造に設定され、表面のメッシュが２種類の幾何学的図形を少なくとも含むことを特徴とする、請求項１〜５のいずれか１項に記載のホーム用品用シート材が設置されたクッション。
【請求項７】
下層のホーム用品用シート材は、単一の幾何学的図形のシート材に設定され、
上層のホーム用品用シート材の表面は、２種類の幾何学的図形を含み、中間部位が荷重の大きい幾何学的図形に設定され、他の部位が荷重の小さい幾何学的図形に設定される、ことを特徴とする請求項６に記載のクッション。
【請求項８】
上下２層のホーム用品用シート材を含み、
上層のホーム用品用シート材は、交織メッシュ状構造に設定され、表面のメッシュが２種類の幾何学的図形を少なくとも含み、
下層のホーム用品用シート材は、単一の幾何学的図形のシート材に設定され、さらに中間層を含むことを特徴とする、請求項１〜５のいずれか１項に記載のホーム用品用シート材が設置されたマットレス。
【請求項９】
上下２層のホーム用品用シート材を含み、
上層のホーム用品用シート材は、交織メッシュ状構造に設定され、表面のメッシュが２種類の幾何学的図形を少なくとも含み、
下層のホーム用品用シート材は、単一の幾何学的図形のシート材に設定され、さらに中間充填層を含むことを特徴とする、請求項１〜５のいずれか１項に記載のホーム用品用シート材が設置された枕。
【考案の詳細な説明】
【技術分野】
【０００１】
本考案は、ホーム用品用シート材及びクッション、マットレス及び枕に関する。
【背景技術】
【０００２】
従来技術として多くのゲル製寝具用品が現れたが、従来技術におけるゲル製寝具用品のシート材は、いずれも単一のメッシュ構造である。このようにパターンが単一であり、かつ寝具用品とクッションの各部位の応力が異なる、単一のメッシュ構造のシート材は、長期間使用すると変形しやすい。
【考案の概要】
【考案が解決しようとする課題】
【０００３】
従来技術における欠点に対して、本考案は、応力受け部位に応じてメッシュのパターンを設定可能なホーム用品用シート材及び該シート材が設置されたクッション、マットレス及び枕を提供することを目的とする。
【課題を解決するための手段】
【０００４】
上記技術的課題を解決するために、本考案は以下の技術手段を提供する。
【０００５】
ホーム用品用シート材は、交織メッシュ状構造に設定され、シート材の表面のメッシュが２種類の幾何学的図形を少なくとも含む。
【０００６】
好ましくは、幾何学的図形の位置は、応力受け位置に応じて設定され、応力が大きい部位に荷重が大きい幾何学的図形が設定され、応力が小さい部位に荷重が小さい幾何学的図形が設定される。
【０００７】
好ましくは、幾何学的図形の位置は、応力受け位置に応じて設定され、応力が大きい部位の幾何学的図形の密度は、応力が小さい位置の幾何学的図形の密度より大きい。
【０００８】
好ましくは、シート材の厚さは、２〜１５センチメートルに設定される。
【０００９】
好ましくは、シート材の材料はゲルに設定される。ゲルは、ＴＰＲ又はＴＰＥ又は人工合成ゴム又は人工合成プラスチックに設定される。
【００１０】
本技術手段では、交織メッシュ状構造に設定され、シート材の表面のメッシュは、２種類の幾何学的図形を少なくとも含む。このように、ユーザは、必要に応じて図形の位置を設定し、かつ組み合わせることができる。
【００１１】
本技術手段では、幾何学的図形の位置は、応力受け位置に応じて設定され、応力が大きい部位に荷重が大きい幾何学的図形が設定され、応力が小さい部位に荷重が小さい幾何学的図形が設定される。例えば、荷重が大きい部位に幾何学的図形を最も安定する三角形に設定し、荷重が小さい部位に幾何学的図形を菱形に設定することができる。
【００１２】
本技術手段では、幾何学的図形の位置は、応力受け位置に応じて設定され、応力が大きい部位の幾何学的図形の密度は、応力が小さい位置の幾何学的図形の密度より大きく、密度も荷重能力の問題を解決する１つの技術手段であり、密度が大きいほど荷重能力が大きくなり、荷重が大きい部位にメッシュを密に設定することができる。
【００１３】
本技術手段では、シート材の材料は、ゲルに設定され、ゲルは、比較的成形しやすく、かつ変形しにくい。
【００１４】
上記ホーム用品用シート材が設置されたクッションは、上層の中間部位には、荷重が大きい幾何学的図形を設定するか又は密度を大きくし、中間部位を凹んだ臀部形状に設定することができる。
【００１５】
上記ホーム用品用シート材が設置されたマットレスは、シングルマットレスとダブルマットレスに分けられ、上層の応力受け部位には、応力の大きさに応じて異なる形状のメッシュを設定することができる。
【００１６】
上記ホーム用品用シート材が設置された枕は、上層又は上下２層には、いずれも応力受け部位に応じて異なる形状のメッシュを設定することができる。
【００１７】
クッション、枕、マットレスは、いずれも中間に充填層を設定することができ、充填層の厚さ及び形状は、必要に応じて設定することができる。
【００１８】
本分野の公知常識に基づいて、上記各好ましい条件を任意に組み合わせて、本考案の実施例を得ることができる。
【図面の簡単な説明】
【００１９】
【図１】本技術手段のホーム用品用シート材の概略構成図である。
【図２】本技術手段のクッションの概略構成図である。
【図３】本技術手段のクッションの他の実施例の概略構成図である。
【考案を実施するための形態】
【００２０】
本考案の目的、技術手段及び利点をより明確にするために、以下、本考案の実施例における図面を参照しながら本考案の実施例における技術手段をさらに詳細に説明する。
【００２１】
―実施例１―
ホーム用品用シート材は、交織メッシュ状構造に設定され、シート材の表面のメッシュ１が２種類の幾何学的図形を少なくとも含む。幾何学的図形の位置は、応力受け位置に応じて設定され、応力が大きい部位に荷重が大きい幾何学的図形が設定され、応力が小さい部位に荷重が小さい幾何学的図形が設定される。シート材の厚さは２〜１５センチメートルに設定される。本実施例では、２センチメートルに設定され、シート材の材料はゲルに設定される。ゲルは、ＴＰＲに設定される。
【００２２】
―実施例２―
本実施例は、本実施例の幾何学的図形の位置が応力受け位置に応じて設定され、応力が大きい部位の幾何学的図形の密度が、応力が小さい位置の幾何学的図形の密度より大きいという点で実施例１と相違する。シート材の厚さは１５センチメートルに設定される。シート材の材料はＴＰＥに設定される。
【００２３】
―実施例３―
クッションは、上下２層を含み、上層２のホーム用品用シート材が交織メッシュ状構造に設定され、シート材の表面のメッシュ１が２種類の幾何学的図形を含む。下層３のシート材が単一の幾何学的図形のシート材に設定され、上層のシート材の表面が２種類の幾何学的図形を含み、中間部位が荷重の大きい幾何学的図形に設定され、他の部位が荷重の小さい幾何学的図形に設定される。シート材の厚さは５センチメートルに設定される。ゲルの材料は、人工合成ゴムに設定される。
【００２４】
―実施例４―
マットレスは、上下２層を含み、上層のホーム用品用シート材が交織メッシュ状構造に設定され、シート材の表面のメッシュが２種類の幾何学的図形を少なくとも含み、下層のシート材が単一の幾何学的図形のシート材に設定され、さらに中間層を含む。ホーム用品用シート材の厚さは１０センチメートルに設定される。
【００２５】
―実施例５―
枕は、上下２層を含み、上層のホーム用品用シート材が交織メッシュ状構造に設定され、シート材の表面のメッシュが２種類の幾何学的図形を少なくとも含み、下層のシート材が単一の幾何学的図形のシート材に設定され、さらに中間充填層を含む。シート材の厚さは８センチメートルに設定され、ゲルの材料は人工合成プラスチックに設定される。
【００２６】
また、本明細書を実施形態に基づいて説明したが、各実施形態が１つの独立した技術手段のみを含むものではなく、明細書のこのような説明方式は、明瞭にするためのものに過ぎず、当業者であれば、明細書を全体として、各実施例における技術手段を適切に組み合わせることもでき、当業者が理解できる他の実施形態を形成することを理解されたい。
【符号の説明】
【００２７】
１  メッシュ
２  上層
３  下層
【図１】
0003232237.tif 000003
【図２】
0003232237.tif 000004
【図３】
0003232237.tif 000005